(57)【要約】【課題】太陽光発電機能を有するフェンダー構造を提供する。【解決手段】当該フェンダー構造は、フェンダー本体を備え、前記フェンダー本体上には、前記フェンダー本体に合わせるフレキシブル太陽電池アセンブリが、固設されている。当該技術案によると、スペースを節約できるだけでなく、太陽電池アセンブリ及びその装着用付属品が圧力によって損傷されることを効果的に回避できる。【選択図】図２
2019209957.tif 000002
【特許請求の範囲】
【請求項１】
フェンダー本体を備え、
前記フェンダー本体には、前記フェンダー本体に合わせるフレキシブル太陽電池アセンブリが、固設されている
ことを特徴とする太陽光発電機能を有するフェンダー構造。
【請求項２】
前記フレキシブル太陽電池アセンブリは、接続部材によって、前記フェンダー本体に接着して固定される
ことを特徴とする請求項１に記載の太陽光発電機能を有するフェンダー構造。
【請求項３】
前記接続部材は、前記フェンダー本体の円弧面に沿って前記円弧面に合わせる接着部材を含み、前記フレキシブル太陽電池アセンブリは、前記接着部材によって、前記フェンダー本体に対応されるように、前記フェンダー本体に固定される
ことを特徴とする請求項２に記載の太陽光発電機能を有するフェンダー構造。
【請求項４】
前記接続部材は、係合バックルを含み、前記フレキシブル太陽電池アセンブリは、前記係合バックルによって、前記フェンダー本体に係合接続されて、前記フェンダー本体に固定される
ことを特徴とする請求項２に記載の太陽光発電機能を有するフェンダー構造。
【請求項５】
前記フェンダー本体には、ロック部材が設置されており、前記係合バックルは、前記ロック部材に係合接続される
ことを特徴とする請求項４に記載の太陽光発電機能を有するフェンダー構造。
【請求項６】
前記フェンダー本体の両側には、長手方向に沿ってガイド溝が設置されており、前記フレキシブル太陽電池アセンブリの両側には、ガイド辺が設置されており、前記フレキシブル太陽電池アセンブリは、ガイド辺が前記ガイド溝内に挿入接続されることによって、前記フェンダー本体に固定される
ことを特徴とする請求項１に記載の太陽光発電機能を有するフェンダー構造。
【請求項７】
前記フェンダー本体には、長手方向と夾角を形成する装着バーが固定されており、前記装着バーの少なくとも一端が前記フェンダー本体に固定され、前記装着バーの中央部は前記フェンダー本体よりも高く、また前記中央部と前記フェンダー本体との間には空隙があり、前記フレキシブル太陽電池アセンブリは、前記空隙を通じて、前記フェンダー本体に固定される
ことを特徴とする請求項１に記載の太陽光発電機能を有するフェンダー構造。
【請求項８】
複数の前記装着バーを含み、複数の前記装着バーは、前記フェンダー本体の長手方向に沿って、間隔をあけて配列される
ことを特徴とする請求項７に記載の太陽光発電機能を有するフェンダー構造。
【請求項９】
前記フェンダー本体には、位置決め溝が設置されており、前記フレキシブル太陽電池アセンブリの先端には、前記位置決め溝に対応される位置決め係合部が設置されており、前記フレキシブル太陽電池アセンブリが前記フェンダー本体に固定される場合、前記位置決め係合部が前記位置決め溝内に挿入接続される
ことを特徴とする請求項６〜８の中のいずれか１項に記載の太陽光発電機能を有するフェンダー構造。
【請求項１０】
前記フレキシブル太陽電池アセンブリは、
フレキシブル基板と、
前記フレキシブル基板の表面に貼着されている太陽電池モジュールと、
を備えることを特徴とする請求項１〜８の中のいずれか１項に記載の太陽光発電機能を有するフェンダー構造。
【請求項１１】
前記フレキシブル太陽電池アセンブリは、
前記太陽電池モジュールの上面に設置されている透明保護層をさらに備える
ことを特徴とする請求項１０に記載の太陽光発電機能を有するフェンダー構造。
【発明の詳細な説明】
【技術分野】
【０００１】
本出願は、２０１８年５月３１日に出願された中国への特許出願(出願番号：２０１８１０５７１９０６．７)に基づき、上記中国への特許出願の優先権を主張して、上記中国への特許出願の全部の内容は本出願に導入され、参照とする。
【０００２】
本発明は、太陽エネルギー技術分野に関し、特に、太陽光発電機能を有するフェンダー構造に関する。
【背景技術】
【０００３】
自転車は、グリーン交通手段として、幅広く使用されている。自転車を長期にわたって使用するには、スマートカーロック、警報装置等の電子システムの消費電力要件を満たすために、電源を配置する必要がある。従って、太陽電池は、適切な電力供給手段として、シェア自転車の電力供給システムに使用されている。
【０００４】
自転車の使用時に常に揺れる状態にあるため、自転車の太陽電池性能に影響を与えたり、または太陽電池が重圧を受けた場合、太陽電池あるいは太陽電池搭載のための締結部材の破裂を招く恐れがあり、この程度でずっと維持されれば、結局、太陽電池は電気を正常に生成することができなくなる。
【発明の概要】
【０００５】
本発明の実施例は、関連技術で存在する太陽電池及びその締結部材の性能と構成が容易に影響を受ける問題を克服するために、太陽光発電機能を有するフェンダー構造を提供する。当該技術案は、以下のとおりである。
【０００６】
本発明の実施例の第１の態様によると、太陽光発電機能を有するフェンダー構造を提供し、当該フェンダー構造は、
フェンダー本体を備え、前記フェンダー本体には、前記フェンダー本体に合わせるフレキシブル太陽電池アセンブリが、固設されている。
【０００７】
一実施例において、前記フレキシブル太陽電池アセンブリは、接続部材によって、前記フェンダー本体に接着して固定される。
【０００８】
一実施例において、前記接続部材は、前記フェンダー本体の円弧面に沿って前記円弧面に合わせる接着部材を含み、前記フレキシブル太陽電池アセンブリは、前記接着部材によって、前記フェンダー本体に対応されるように、前記フェンダー本体に固定される。
【０００９】
一実施例において、前記接続部材は、係合バックルを含み、前記フレキシブル太陽電池アセンブリは、前記係合バックルによって、前記フェンダー本体に係合接続されて、前記フェンダー本体に固定される。
【００１０】
一実施例において、前記フェンダー本体には、ロック部材が設置されており、前記係合バックルは、前記ロック部材に係合接続される。
【００１１】
一実施例において、前記フェンダー本体の両側には、長手方向に沿ってガイド溝が設置されており、前記フレキシブル太陽電池アセンブリの両側には、ガイド辺が設置されており、前記フレキシブル太陽電池アセンブリは、ガイド辺が前記ガイド溝内に挿入接続されることによって、前記フェンダー本体に固定される。
【００１２】
一実施例において、前記フェンダー本体には、長手方向と夾角を形成する装着バーが固定されており、前記装着バーの少なくとも一端が前記フェンダー本体に固定され、前記装着バーの中央部と前記フェンダー本体との間には空隙があり、前記フレキシブル太陽電池アセンブリは、前記空隙を通じて、前記フェンダー本体に固定される。
【００１３】
一実施例において、複数の前記装着バーを含み、複数の前記装着バーは、前記フェンダー本体の長手方向に沿って、間隔をあけて配列される。
【００１４】
一実施例において、前記フェンダー本体上には、位置決め溝が設置されており、前記フレキシブル太陽電池アセンブリの先端には、前記位置決め溝に対応される位置決め係合部が設置されており、前記フレキシブル太陽電池アセンブリが前記フェンダー本体に固定される場合、前記位置決め係合部が前記位置決め溝内に挿入接続される。
【００１５】
本発明の実施例によって提供する技術案は、以下の有益な効果を含んでも良い。当該フェンダー構造によると、フレキシブル太陽電池アセンブリをフェンダー本体に固定させることで、装着が簡単になるし、スペースを節約できるだけでなく、太陽電池アセンブリ及びその装着用付属品が圧力によって損傷されるリスクを効果的に回避できる。
【００１６】
上記の一般的な説明および以下の詳細な説明は、例示的なもの或いは解釈的なものだけであり、本発明を限定できないと、理解すべきである。
【図面の簡単な説明】
【００１７】
ここでの図面は、明細書中に組み込まれて本明細書の一部を構成して、本発明に合致する実施例を示し、また明細書と共に本発明の原理を解釈するのに、使用される。
【図１】例示的な一実施例に係る自転車のフェンダーの装着効果を示す図面である。
【図２】例示的な一実施例に係るフェンダー構造を示す模式図である。
【図３】例示的な一実施例に係るフェンダー構造の固定方法を示す模式図である。
【図４】例示的な一実施例に係るフェンダー構造の固定方法を示す模式図である。
【図５】例示的な一実施例に係るフェンダー構造の固定方法を示す模式図である。
【図６】例示的な一実施例に係るフェンダー構造の固定方法を示す模式図である。
【図７】例示的な一実施例に係るフェンダー構造の固定方法を示す模式図である。
【図８】例示的な一実施例に係るフェンダー構造の位置決め方法を示す模式図である。
【図９】例示的な一実施例に係るフェンダー構造を示す模式図である。
【図１０】例示的な一実施例に係るフレキシブル太陽電池アセンブリの構造を示す模式図である。
【発明を実施するための形態】
【００１８】
以下、例示的な一実施例を詳細に説明し、その例を図面に示す。以下の説明で、図面を言及する場合、特に明記しない限り、互いに異なる図面における同一の符号は、同一または類似の要素を指す。以下の例示的な一実施例に記載される実施形態は、本発明と一致するすべての実施形態を表すものではない。逆に、それらは、添付された特許請求の範囲に詳述される本発明の実施態様と一致する装置および方法の単なる例である。
【００１９】
太陽電池アセンブリを自転車の電源として使用する関連技術では、太陽電池アセンブリを自転車のカゴや後部座席に装着して、エネルギーの変換及び供給を実現することができる。このような太陽電池アセンブリの装着方法は、太陽電池パネルの水平装着方法を決定し、例えば、平面ねじ、平行レール、または接着方法によって、固定装着してもよい。しかし、このような装着方法は、スペース専有面積が大きいとの問題が存在するだけでなく、重い物体の圧力作用によって太陽電池パネルや締結部材が破裂されて損傷されやすい問題が存在する。
【００２０】
本発明の実施例によって提供される技術案は、太陽光発電機能を有するフェンダー構造１０に関し、図１に示すフェンダーが設置されている自転車に使用されてもよい。図２に示すように、前記フェンダー構造１０は、フェンダー本体１０１を備え、当該フェンダー本体１０１には、フェンダー本体１０１に合わせるフレキシブル太陽電池アセンブリ１０２が固設され、本発明において、太陽電池アセンブリは、フェンダーの外側円弧面に接着して固定される。
【００２１】
その中、前記固設方法は、一体型固定構造と分割型構造固定接続との二つの方法を含み、つまり、フェンダー本体１０１とフレキシブル太陽電池アセンブリ１０２とは、出荷時に既に一体型構造に形成されてもよく、或いは、分割型構造が一体に固定接続されてもよい。
【００２２】
本発明の実施例によって提供される技術案によると、フレキシブル太陽電池アセンブリ１０２をフェンダー本体１０１に固定することで、スペースを節約できるだけでなく、太陽電池アセンブリ１０２及びその装着用付属品が圧力によって損傷されるリスクを効果的に回避できる。
【００２３】
例示的な本実施形態において、フレキシブル太陽電池アセンブリ１０２とフェンダー本体１０１との間は、接続部材によって固定されてもよい。
【００２４】
一実施形態において、図３に示すように、前記接続部材は、フェンダー本体１０１の円弧面に沿って貼付させる接着部材１０３を含んでもよく、例えば、当該接着部材１０３は、接着テープやボンド層などの粘性を有する部材を含んでもよい。このような場合、フレキシブル太陽電池アセンブリ１０２は、当該接着部材１０３によって、フェンダー本体１０１に対応されるように、フェンダー本体１０１に固定されてもよい。つまり、フレキシブル太陽電池アセンブリ１０２は、当該接着部材１０３によって、フェンダー本体１０１の表面に貼れてもよい。具体的に、接着テープを接着部材として使用する例を挙げると、フェンダー本体１０１の表面に、任意の方向に沿って少なくとも一つの接着テープを設置してもよく、その中、接着テープの数は、フレキシブル太陽電池アセンブリ１０２がフェンダー本体１０１の表面に緊密に固定できるかを基準として設置するべきである。接着部材１０３の構造を明確に示すために、図３ではフレキシブル太陽電池アセンブリ１０２の局所の領域のみを示したことを、説明する必要がある。
【００２５】
もう一実施形態において、図４に示すように、前記接続部材は、係合バックル１０４を含んでもよく、フレキシブル太陽電池アセンブリ１０２は、当該係合バックル１０４によって、当該フェンダー本体１０１に係合接続されて、当該フェンダー本体１０１に固定されてもよい。その中、前記係合バックル１０４は、独立的な構造であってもよく、例えば、係合クリップであってもよく、或いは、フェンダー本体１０１と一体型構造に形成されてもよく、或いは、フレキシブル太陽電池アセンブリ１０２と一体型構造に形成されてもよい。
【００２６】
さらに、係合バックル１０４をフェンダー本体１０１に直接的に係合接続しない場合、フェンダー本体１０１に、係合バックル１０４に合わせるロック部材を、さらに、設置してもよい。この場合、フレキシブル太陽電池アセンブリ１０２は、係合バックル１０４によって、フェンダー本体１０１のロック部材に係合接続されてもよい。例えば、当該ロック部材は、フェンダー本体１０１の長手方向に沿って配置される二つの凸起バーであってもよく、係合バックル１０４は、フレキシブル太陽電池アセンブリ１０２と一体型構造に形成されてもよい。この場合、フレキシブル太陽電池アセンブリ１０２は、係合バックル１０４によって、当該凸起バーにバックル接続されることで、フレキシブル太陽電池アセンブリ１０２の固定を実現してもよい。また、例えば、当該ロック部材は、フェンダー本体１０１に固定される複数の凸起であってもよく、係合バックル１０４は、フレキシブル太陽電池アセンブリ１０２と一体型構造に形成されてもよい。この場合、フレキシブル太陽電池アセンブリ１０２は、係合バックル１０４によって、当該複数の凸起にバックル接続されることで、フレキシブル太陽電池アセンブリ１０２の固定を実現してもよい。
【００２７】
例示的な本実施形態において、フレキシブル太陽電池アセンブリ１０２とフェンダー本体１０１との間は、さらに、その自身の構造設計によって、両者の固定を実現してもよい。
【００２８】
一実施形態において、図５に示すように、フェンダー本体１０１の両側には、長手方向に沿ってガイド溝１０５が設置されていてもよく、フレキシブル太陽電池アセンブリ１０２の両側には、ガイド辺１０６が設置されていてもよい。この場合、フレキシブル太陽電池アセンブリ１０２は、ガイド辺１０６によって、ガイド溝１０５内に挿入されて、当該ガイド溝１０５に接続されることで、フェンダー本体１０１に固定されてもよい。ガイド溝１０５の構造を明確に示すために、図５ではフレキシブル太陽電池アセンブリ１０２の局所の領域のみを示したことを、説明する必要がある。
【００２９】
その中、フェンダー本体１０１は、中空構造であってもよく、つまり、当該フェンダー本体１０１は、ブラケットと、ブラケットの内部に位置する中空領域とを、含んでもよい。この場合、ガイド溝１０５は、ブラケットの中空領域に向き合う縁部に設置され、溝開口は、当該中空領域に向き合ってもよい。この場合、フレキシブル太陽電池アセンブリ１０２は、そのガイド辺１０６がガイド溝１０５内に挿入接続されることで、フェンダー本体１０１での固定を実現してもよい。
【００３０】
または、フェンダー本体１０１は、中空構造でなくてもよく、つまり、フェンダー本体１０１は、一体型の連続的に配置されたブラケット構造を有してもよい。この場合、ガイド溝１０５は、ブラケットの縁部に設置され、溝開口は、ブラケットの中心領域に向き合ってもよい。この場合、フレキシブル太陽電池アセンブリ１０２は、ガイド辺１０６がガイド溝１０５内に挿入接続されることで、フェンダー本体１０１での固定を実現してもよい。
【００３１】
このように、本実施例によると、フェンダー本体１０１の両側にガイド溝１０５を設置し、フレキシブル太陽電池アセンブリ１０２の両側にガイド辺１０６を設置することで、フレキシブル太陽電池アセンブリ１０２が、ガイド溝１０５によって限定された位置に沿って、フェンダー本体１０１内に挿入接続され、また、ガイド溝１０５によってガイドされる方向に従って曲げられることになる。このようにして、フレキシブル太陽電池アセンブリ１０２の円弧面に対する装着を実現でき、フレキシブル太陽電池アセンブリ１０２とフェンダー本体１０１の円弧面との間は良好な接着結合性を有するため、スペース専有面積を効果的に節約できる。なお、当該実施形態のフレキシブル太陽電池アセンブリ１０２は、プッシュプル型装着方法を採用するため、操作が簡単になるだけでなく、太陽電池アセンブリ１０２及びその装着用付属品が圧力によって損傷されるリスクを回避できる。
【００３２】
もう一実施形態において、図７に示すように、フェンダー本体１０１上には、長手方向と夾角を形成する装着バー１０７が固定されていてもよく、当該装着バー１０７の少なくとも一端がフェンダー本体１０１に固定され、当該装着バー１０７の中央部とフェンダー本体１０１との間には空隙がある。従って、フレキシブル太陽電池アセンブリ１０２は、当該空隙を通じて、フェンダー本体１０１に固定されてもよい。
【００３３】
図６に示すように、装着バーは、長いバー、或いは、短いバーであってもよく、フレキシブル太陽電池アセンブリを、押しながらフェンダー上で方向に沿ってガイドすることができればよい。
【００３４】
その中、当該装着バー１０７の一端がフェンダー本体１０１に固定されている場合、フェンダー本体１０１の両側の縁部に沿って、当該装着バー１０７がそれぞれ設置されてもよい。または、図７に示すように、当該装着バー１０７の両端がフェンダー本体１０１に固定されている場合、当該装着バー１０７は、フェンダー本体１０１の両側の縁部に同時に接続されることになる。装着バー１０７の延伸方向とフェンダー本体１０１の長手方向とは、互いに垂直されるか、或いは、一定の夾角を形成してもよく、本実施例ではこれに対して限定しないことを、説明する必要がある。
【００３５】
本実施例において、複数の前記装着バー１０７を含んでもよく、当該複数の装着バー１０７は、フェンダー本体１０１の長手方向に沿って間隔をあけて配列されてもよい。つまり、隣接する二つの装着バー１０７同士の間は、一定の間隔で離隔されることで、円弧面に沿って配置される複数の装着バー１０７を形成する。その中、当該複数の装着バー１０７は、互いに平行に設置されるか、或いは、平行しないように設置されてもよく、本実施例ではこれに対して具体的に限定しない。
【００３６】
オプションとして、前記装着バー１０７は、平面構造であってもよく、この場合、当該平面構造の装着バー１０７は、その幅が相対的に小さく設置されることで、フェンダー本体１０１の円弧面にあわせて設置されてもよい。
【００３７】
オプションとして、前記装着バー１０７は、微小な円弧面の構造であってもよく、即ち、弧度が非常に小さい円弧面の構造であってもよく、この場合、当該微小な円弧面の構造は、その弧度がフェンダー本体１０１の円弧面にマッチングされることで、フェンダー本体１０１の円弧面にあわせて設置されてもよい。
【００３８】
このように、本実施例によると、フェンダー本体１０１上に装着バー１０７を設置することで、フレキシブル太陽電池アセンブリ１０２が、フェンダー本体と装着バー１０７との間の空隙に沿って、前方へ、曲げて移動するようにし、また、装着バー１０７の間隔によってフレキシブル太陽電池アセンブリをフェンダー上に限制させる同時に、フレキシブル太陽電池アセンブリの弧度をガイドして、フレキシブル太陽電池アセンブリをフェンダーに接着結合させて固定させる。
【００３９】
このようにすれば、フレキシブル太陽電池アセンブリ１０２の円弧面に対する装着を実現でき、フレキシブル太陽電池アセンブリ１０２とフェンダー本体１０１の円弧面との間は良好な接着結合性を有するため、スペース専有面積を効果的に節約できる。なお、当該実施形態のフレキシブル太陽電池アセンブリ１０２は、プッシュプル型装着方法を採用するため、操作が簡単になるだけでなく、太陽電池アセンブリ１０２及びその装着用付属品が圧力によって損傷されるリスクを回避できる。
【００４０】
上記の実施形態を基に、図８に示すように、フェンダー本体１０１には、さらに、位置決め溝１０８が設置されていてもよく、フレキシブル太陽電池アセンブリ１０２の先端には、さらに、位置決め溝１０８に対応される位置決め係合部１０９が設置されてもよい。フレキシブル太陽電池アセンブリ１０２がフェンダー本体１０１に固定される場合、位置決め係合部１０９は、位置決め溝１０８内に挿入接続されることで、両者の相対的な位置関係を確保してもよい。図８は、図５の実施例でのフェンダーの断面を示す模式図であり、位置決め溝１０８を良く示すために、フェンダー本体１０２の凹溝の側壁は示していない。
【００４１】
例示的な本実施形態において、図９に示すように、前記フェンダー本体１０１は、さらに、支持部１１０を含んでもよく、当該支持部１１０は、弧形のフェンダー本体１０１に固定接続されてフェンダー本体１０１を自転車の車体に固定させるためのものである。その中、支持部１１０は、弧形ブラケットのフレームに接続されてもよく、この場合、フェンダー本体１０１は当該支持部１１０によって自転車の車輪軸に装着されてもよい。または、支持部１１０は、弧形ブラケットの端部に接続されてもよく、この場合、フェンダー本体１０１は当該支持部１１０によって自転車の座席の下方の支柱に装着されてもよい。支持部１１０とフェンダー本体１０１とは、一体型構造であってもよく、この場合、両者は、プラスチック成形プロセスなどのような一体成形プロセスによって、同時に製造されてもよい。このようにすると、製造プロセスを簡素化できるだけでなく、一体型構造が良好な機械的安定性を有するようにできることを、説明する必要がある。
【００４２】
例示的な本実施形態において、図１０に示すように、前記フレキシブル太陽電池パネル１０２は、
フレキシブル基板１０２１と、
フレキシブル基板１０２１の表面に貼着されており、複数の狭いバー状の硬質の太陽電池モジュール、または、フレキシブル太陽電池モジュールを含む太陽電池モジュール１０２２と、
太陽電池モジュール１０２２の上面である、太陽電池モジュール１０２２のフレキシブル基板１０２１と反対する側の表面に、設置されている透明保護層１０２３とを、備えてもよい。
【００４３】
このように、本実施例によると、太陽電池モジュール１０２２は、フレキシブル基板１０２１と透明保護層１０２３との間に設置されることで、太陽電池モジュール１０２２を保護する効果が得られてもよい。複数の狭いバー状の硬質の太陽電池モジュールを利用してフレキシブル太陽電池パネル１０２を形成する場合、当該フレキシブル太陽電池パネル１０２が現在の結晶シリコン太陽電池プロセスと良好な適合性を有するため、プロセス成熟度が相対的に高い。フレキシブル太陽電池モジュールを利用してフレキシブル太陽電池パネル１０２を形成する場合、当該フレキシブル太陽電池モジュール中の太陽電池アセンブリもフレキシブル材料であるので、良好な曲げ性能を有するため、フレキシブル太陽電池パネル１０２の継ぎ目のない繋がりを実現でき、また、最も大きい円弧曲率に適合できる。
【００４４】
本分野の技術者は、明細書を考慮してここで開示した本願を実践した後、本発明のその他の実施方案を容易に想到できる。本願は、本発明のいずれの変形、用途、又は、アダプティブな変更をカバーすることを目指す。それら変形、用途、又は、アダプティブな変更は、本発明の一般的な原理をフォローし、また、本発明で開示しなかった技術分野中の公知の常識や慣用技術的手段を含む。明細書及び実施例は、例示に過ぎないと考えられるべきであり、本発明の真の範囲および精神は、以下の特許請求の範囲によって指摘される。
【００４５】
本発明は、以上に既に説明し、また、図面に示す厳密な構造に限定されなく、本発明の範囲から逸脱することなく様々な修正や変更が可能であることを、理解すべきである。本発明の範囲は、添付の特許請求の範囲によってのみ限定される。
【図１】
2019209957.tif 000003
【図２】
2019209957.tif 000004
【図３】
2019209957.tif 000005
【図４】
2019209957.tif 000006
【図５】
2019209957.tif 000007
【図６】
2019209957.tif 000008
【図７】
2019209957.tif 000009
【図８】
2019209957.tif 000010
【図９】
2019209957.tif 000011
【図１０】
2019209957.tif 000012